(57)【要約】【課題】天井面のレールに吊りボルトで支持される可動式の間仕切りパネルを、厚みが薄い仕切板を用いて薄肉に構成し、パネルを移動する際に仕切板に加わる衝撃が小さくなるように構成する。【解決手段】間仕切りパネルを、パネル主体である仕切板の上下両端部に、ボルトなどの結合手段で仕切板の表裏両面に挟着固定される内枠材と内枠材の外面を覆う外枠材からなる上部枠体と下部枠体を取り付け、仕切板の上端よりも上方に突出した上部枠体の内枠材間にフックを取り付け、このフックに吊りボルトの下端部を固定して構成する。仕切り空間の採光性を確保するため、仕切板として光透過性を有するガラス板を使用する。【選択図】図２
2006104724.tif 000002
【特許請求の範囲】
【請求項１】
上端部に滑動体が取り付けられた吊りボルトをパネルの上部に取り付け、前記滑動体を天井面に設けたガイドレールに係合させて、天井から吊り下げたパネルがガイドレールに沿ってスライド自在に支持される間仕切りパネルの構造において、
前記パネルが、
パネル主体である仕切板の上下両端部に、ボルトなどの結合手段で仕切板の表裏両面に挟着固定される内枠材及び内枠材の外面を覆う外枠材からなる上部枠体と下部枠体がそれぞれ取り付けられ、
仕切板の上端よりも上方に突出した前記上部枠体の内枠材間にフックが取り付けられ、
このフックに前記吊りボルトの下端部が固定された構成を有することを特徴とする間仕切りパネルの構造。
【発明の詳細な説明】
【技術分野】
【０００１】
本発明は、間仕切り用のパネルとして、ガラス板やプラスチック板などの、薄肉の仕切板を用いた可動式の間仕切りパネルの構造に関する。
【背景技術】
【０００２】
従来の可動式の間仕切りパネルとして、例えば図５に示されるように、適宜な幅で形成された鋼製の上部フレーム９１と下部フレーム９２の両側に、無機質材料又は合板による裏打ち材９３、９３を挟んで化粧鋼板からなる表面材９４、９４を取り付け、裏打ち材９３、９３の間の空隙にはグラスウールによる充填材９５を充填し、天井に設置したガイドレールＧＲに滑動自在に支持された吊りボルト９６を上部フレーム９１に固定して、ガイドレールＧＲに沿って移動自在に吊り下げた構成のものが知られている（例えば特許文献１参照）。
【０００３】
【特許文献１】特開２００１−２８００３４号公報
【発明の開示】
【発明が解決しようとする課題】
【０００４】
従来の間仕切りパネルは、パネル全体が充分に厚く形成されていたが、これは室内空間を仕切ったときの遮音性と遮光性を確保するためである。
しかし、室内であっても騒音が少なく比較的静かな場所、例えばレストランやホテルのラウンジなどでは、間仕切りパネルで空間を仕切ることができさえすれば遮音効果が小さくても問題はない。また、これらの場所では、比較的照明が暗いため、間仕切りパネルで照明光が遮られて仕切られた空間が暗くなることがあり、また、室内の一部を仕切ったときに、仕切られた空間内にいる人に圧迫感を感じさせたりすることがある。室内空間を狭く仕切った場合に、間仕切りパネルの一部に外側を視認可能なガラスを嵌め入れてあれば圧迫感は弱まるが、パネルの一部にガラスが嵌め入れてあっても照明光が不足することもある。
一方、採光性を確保するためパネル全体をガラス板で構成した場合、パネルを移動する際にガラス板に衝撃が加わらないようにし、また、パネルを複数並べたときに、隣接パネルのガラス板同士が面一に位置固定されるように設ける必要がある。
【０００５】
本発明は従来技術の有するこのような問題点に鑑み、厚みが薄い仕切板を用いて間仕切りパネルを薄肉に構成し、また、パネルを移動する際に仕切板に加わる衝撃が小さくなるようにし、また、並置したパネル同士が面一に位置固定されるように構成することを課題とする。
【課題を解決するための手段】
【０００６】
前記課題を解決するため本発明は、上端部に滑動体が取り付けられた吊りボルトをパネルの上部に取り付け、前記滑動体を天井面に設けたレールに係合させて、天井から吊り下げたパネルがレールに沿ってスライド自在に支持される間仕切りパネルの構造において、前記パネルは、パネル主体である仕切板の上下両端部に、ボルトなどの結合手段で仕切板の表裏両面に挟着固定される内枠材及び内枠材の外面を覆う外枠材からなる上部枠体と下部枠体がそれぞれ取り付けられ、仕切板の上端よりも上方に突出した前記上部枠体の内枠材間にフックが取り付けられ、このフックに前記吊りボルトの下端部が固定された構成を有することを特徴としている。
【０００７】
本発明によれば、パネル構成主体として薄い仕切板を用いた場合でも、その上下に枠体を取り付けるとともに、上部枠体に吊りボルトを支持するフックを一体に取り付けて、簡易に間仕切りパネルを構成することができる。
仕切板としてガラスなどの光透過性を有する材質のものを用いれば、上部枠体と下部枠体の取り付け位置を除くパネル全面で光が透過し、仕切った空間内の採光性を確保することができる。
また、仕切板の表裏両面に上下の枠体が取り付けてあることにより、パネルを取り扱う際に仕切板同士が衝突することはなく、取扱い中に隣接パネル同士がぶつかったとしても、その衝撃は上下の枠体で吸収され、仕切板に与えるダメージを極めて小さくすることができる。
【０００８】
なお、仕切板としては、例えばガラス板単独、ポリカーボネートなどの光透過性を有するプラスチック板単独、ガラス板とプラスチック板を樹脂フィルムを介して一体に貼り合せたものなどを使用することができる。なお、仕切板の材質はこれらに限定するものではない。
【発明を実施するための最良の形態】
【０００９】
本発明の好適な一実施形態を図面を参照して説明する。
図１は本発明にかかる間仕切りパネルで室内を仕切る状態を示す外観図、図２は天井に吊り下げた間仕切りパネルの上部と下部の縦断面図、図３は仕切板に上部枠体を取り付ける工程を示した図、図４は図１中のIV−IV線に沿った断面図である。
【００１０】
図１に示されるように、この形態の間仕切りパネルＰは、仕切板１の上下端部に上部枠体２Ａと下部枠体２Ｂを装着して形成されており、天井Ｃに設けたガイドレールＧＲに吊りボルト６を介してスライド自在に支持され、天井Ｃから床Ｆまでの室内空間をガイドレールＧＲ沿って仕切るように構成してある。
【００１１】
仕切板１は、光透過性を有する強化ガラス板を用い、床Ｆから天井Ｃに至る高さよりも若干小さな縦幅を有する縦長矩形状に形成してある。仕切板１の上下の縁部には、後述する上下枠体を固定するためのボルト貫通孔１ａ、１ａを複数設けてある（図３（Ａ）参照）。
【００１２】
上部枠体２Ａと下部枠体２Ｂは、鋼板を折り曲げて、仕切板１の上下縁部の表裏両面がその両側端部間に亘って覆い隠れる長さに形成されており、仕切板１の上下両端部に装着してある。
【００１３】
詳しくは、図２及び図３に示されるように、上下の枠体２Ａ、２Ｂは、仕切板１の表裏両面に接合する一対の内枠材２１、２１と、両内枠材の外面を覆って取り付けられる一対の外枠材２２、２２と、内枠材２１、２１の間に一体に固着されるフック２３とから構成してある。本形態では、上下の枠体２Ａ、２Ｂを同一部材で構成して部材を共用できるようにしてある。
【００１４】
内枠材２１は、端部２１０ａがＬ字型に屈曲していて板内にボルト貫通孔２１０ｂが形成されてなる基板２１０と、同じく垂直に折れ曲がった端部に遮蔽部材の取付部２１１ａを設けた端板２１１からなっている。
基板２１０、２１０は、仕切板１の表裏両面で前記ボルト貫通孔１ａ上にパッキン３、３を介して接合し、ボルト貫通孔１ａ、２１０ｂを通したボルト４ａとナット４ｂで締結固定して仕切板１に取り付けられようになっている。仕切板１に取り付けられた状態で、基板２１０、２１０の端部２１０ａ、２１０ａが仕切板１の端部から外方へ突出し、両端部間にフック２３が装着されて固定されるようになっている。また、端板２１１、２１１はフック２３の外面にネジ止めして取り付けられるようになっている。
【００１５】
外枠材２２は、長尺状鋼板の一側の端部２２ａをＬ字型に屈曲し、他側の端部２２ｂを前記端部２２ａと同方向に垂直に屈曲して形成してある。両外枠材２２、２２は、仕切板１の表裏両面に内枠材２１、２１を取り付けた状態で、パッキン３、３を装着した端部２２ａ、２２ａを仕切板１の外面にシリコンテープなどで固着させるとともに、端部２２ｂ、２２ｂを前記端板２１１、２１１に重ね合わせ、ネジ止めして取り付けられるようになっている。
【００１６】
フック２３は、アルミ押出し型材により断面略コ字形であって開口した両端２３ａ、２３ａを鉤型に屈曲させた形状に形成してある。フック２３は、上部枠体２Ａでは、仕切板１の端部から突出した内枠材２１、２１の端部２１０ａ、２１０ａ間に開口を上方に向けて装着され、内枠材２１、２１にネジ止め固定して取り付けられるようになっている。
【００１７】
また、図４に示されるように、パネルＰの上下の側端部において、仕切板１は上部枠体２Ａと下部枠体２Ｂで端部をそれぞれ挟まれて固定されるようになっている。パネルＰを並べたときに、隣接パネルの仕切板１、１同士が当たる衝撃を吸収するため、仕切板１の一方の側端部にはゴム材などの緩衝材５が固着してある。
【００１８】
吊りボルト６は、図２に示されるように、その上端にガイドレールＧＲ内の溝に係合して同溝内を滑動する滑車６１が取り付けられており、フック２３内に進入させた下端部をナット４ｂ、４ｂでフック２３の上端２３ａ、２３ａに締結固定してガイドレールＧＲに間仕切りパネルＰを連結するようになっている。
【００１９】
これらの部材により構成される間仕切りパネルＰの組み付けは以下の手順で行うことができる。
先ず、仕切板１に上部枠体２Ａと下部枠体２Ｂを取り付ける。図３は上部枠体２Ａを取り付ける工程を示し、図示した例では、予めフック２３が内枠材２１の基板２１０の端部２１０ａに溶着してある。
【００２０】
同図（Ａ）に示されるように、仕切板１のボルト貫通孔１ａに位置合わせして、仕切板１の表裏両面にフック２３が溶着された基板２１０と他の基板２１０とをパッキン３、３を介して接合し、重なり合った部材の通孔にワッシャー４ｃを通したボルト４ａを挿通し、ナット４ｂに締結する。そして、フック２３の外面に接合する一方の基板２１０の端部２１０ａをネジ７で留め付け、また、フック２３の上部両外面に端板２１１、２１１をネジ７、７で一体に留め付けて固定する。
【００２１】
仕切板１に内枠材２１、２１を取り付けたならば、同図（Ｂ）に示されるように、外枠材２２、２２を取り付ける。両外枠材２２、２２は、端部２２ａ、２２ａをパッキン３、３を介して仕切板１の表面にシリコンテープなどで固着し、端部２２ｂ、２２ｂを前記端板２１１、２１１の端部２１１ａ、２１１ａの下面に重ね合わせ、端部２１１ａ、２１１ａの上面からネジ８をネジ入れ、留め付けて固定する。
【００２２】
そして、端板２１１、２１１の取付部２１１ａ、２１１ａに軟質ゴム製の遮蔽部材８、８を装着して上部枠体２Ａとフック２３の取り付けが完了する。下部枠体２Ｂも同様の手順で取り付けられる。上下の枠体２Ａ、２Ｂは、仕切板１の上下端部に沿ってその表面側と裏面側に適宜な幅で平行に張り出して仕切板１に挟着固定される。
【００２３】
次いで、フック２３に吊りボルト６を固定する。吊りボルト６の固定は、ナット４ｂ、４ｂを螺合した下端部をフック２３内に係入させ、両ナットの間にフック２３の上端２３ａ、２３ａを挟んだ状態でナット４ｂ、４ｂを締着して行われる。
【００２４】
吊りボルト６をフック２３に固定したならば、間仕切りパネルＰを立ててガイドレールＧＲの取り付け口まで移動し、吊りボルト６の滑車６１をガイドレールＧＲの溝に進入し係合させれば、間仕切りパネルＰがガイドレールＧＲに吊り下がって支持される。そして、間仕切りパネルＰを押動して吊りボルト６の滑車６１をガイドレールＧＲ内を滑動させることで、間仕切りパネルＰをガイドレールＧＲに沿ってスライド移動することができる。
【００２５】
このように構成される本形態の間仕切りパネルの構造によれば、パネル構成主体として薄い仕切板１を用いた場合でも、その上下に枠体２Ａ、２Ｂを取り付けるとともに、上部枠体２Ａに吊りボルト６を支持するフック２３を一体に取り付けることにより、簡易に間仕切りパネルＰを構成することができる。
また、構成された間仕切りパネルＰは、ガイドレールＧＲにスライド自在に吊り下げて、室内空間を使用目的や用途などに応じた適宜な大きさの空間に仕切ることができ、また、不要時にはガイドレールＧＲに沿って移動させることで簡単に撤去でき、効率よく収納・保管することができる。
また、仕切板１としてガラス板を用いているので、パネル全面で仕切った空間内の採光を確保することができるとともに、パネル内外の視認性が良好なため、仕切った空間内で圧迫感を感じさせることもない。
さらに、仕切板１の表裏両面と両側部には上下の枠体２Ａ、２Ｂが張り出しているので、間仕切りパネルＰを取り扱う際に、仕切板１同士が衝突することはなく、また、取扱い中に隣接パネル同士がぶつかったとしても、その衝撃は上下の枠体２Ａ、２Ｂで吸収されるので、薄い仕切板１に加わる負荷を極めて小さくすることができる。
【００２６】
なお、図示した間仕切りパネルの形態は一例であり、本発明は図示した形態に限定されず、他の適宜な形態に構成可能である。上記形態では、内枠材を互いに分離した三つ板材により形成したが、これらを一体に設けてもよく、また、内枠材を仕切板に結合する手段としてボルト・ナットを用いたが他の結合手段を用いて結合することは適宜に行われる。
【図面の簡単な説明】
【００２７】
【図１】本発明にかかる一実施形態の間仕切りパネルで室内を仕切る状態を示す外観図である。
【図２】（Ａ）、（Ｂ）は図１の間仕切りパネルを天井に吊り下げたときの上部と下部の縦断面図である。
【図３】（Ａ）、（Ｂ）は仕切板に上部枠体を取り付ける工程を示した図である。
【図４】図１中のIV−IV線に沿った断面図である。
【図５】従来の間仕切りパネルの縦断面図である。
【符号の説明】
【００２８】
１  仕切板、２Ａ  上部枠体、２Ｂ  下部枠体、２１  内枠材、２２  外枠材、２３  フック、３  パッキン、４ａ  ボルト、４ｂ  ナット、５  緩衝材、６  吊りボルト、７  ネジ、８  遮蔽部材、Ｐ  間仕切りパネル、Ｃ  天井、Ｆ  床、ＧＲ  ガイドレール
【図１】
2006104724.tif 000003
【図２】
2006104724.tif 000004
【図３】
2006104724.tif 000005
【図４】
2006104724.tif 000006
【図５】
2006104724.tif 000007